(57)【要約】【課題】画面最外周上下歪、画面中間部上下歪、コンバーゼンスの画像品位向上と特性調整時間の軽減を実現できる偏向ヨークを提供することを目的とする。【解決手段】コイル磁界のピーク附近の水平偏向コイル２と垂直偏向コイル３の間に上下一対（画面Ｖ軸上）のマグネット９あるいはマグネット群１０を配置し、また垂直偏向コイル３の開口側ベンドアップ１２附近に上下一対（画面Ｖ軸上）のマグネット１１を配置し、更に水平偏向コイル２の開口側ベンドアップ５附近に上下一対（画面Ｖ軸上）のマグネット１３を配置する。画面中間部上下歪６は主にマグネット９もしくはマグネット群１０とマグネット１１で調整し、画面最外周上下歪４は主にマグネット１３で調整する。また、マグネット１１とマグネット１３の形状寸法を操作することにより、歪とコンバーゼンスの最適解を得る。【選択図】  図１
2004220788.tif 000002
【特許請求の範囲】
【請求項１】
水平偏向コイル、垂直偏向コイル、フェライトコアを絶縁枠に保持固定する偏向ヨークであって、画面Ｖ軸上に最外周および中間部の上下歪とコンバーゼンスを補正する３対以上のマグネットを設けたことを特徴とする偏向ヨーク。
【請求項２】
１対のマグネットもしくは１対のマグネット群が、水平偏向コイルのコイル磁界ピーク付近もしくは垂直偏向コイルのコイル磁界ピーク付近に配置されることを特徴とする請求項１記載の偏向ヨーク。
【請求項３】
１対のマグネットが、垂直偏向コイル開口部側ベンドアップ付近に配置されることを特徴とする請求項１記載の偏向ヨーク。
【請求項４】
１対のマグネットが、水平偏向コイルの開口部側ベンドアップ付近に配置されることを特徴とする請求項１記載の偏向ヨーク。
【請求項５】
マグネットは、Ｖ軸方向断面において絶縁枠と垂直偏向コイルの隙間もしくは絶縁枠内面に配置されることを特徴とする請求項２記載の偏向ヨーク。
【請求項６】
マグネットは、絶縁枠の外側面形状に合せて製品組立て時に沿った形となるようにゴムまたは樹脂などのベースに添加されることを特徴とする請求項２記載の偏向ヨーク。
【請求項７】
マグネットは、扁平形状であることを特徴とする請求項２記載の偏向ヨーク。
【請求項８】
マグネットは、直方体形状であることを特徴とする請求項４または５記載の偏向ヨーク。
【請求項９】
マグネットは、永久磁石であることを特徴とする請求項１記載の偏向ヨーク。
【発明の詳細な説明】
【０００１】
【発明の属する技術分野】
本発明は、テレビジョン受像機等の陰極線管に設置する偏向ヨークに関するものである。
【０００２】
【従来の技術】
従来の水平偏向コイル、垂直偏向コイル、フェライトコア及びこれらを保持固定する絶縁枠を有する偏向ヨークについて説明する。図８は従来の偏向ヨークのマグネット配置を示す断面図、図９は従来の偏向ヨークのマグネット配置を示す構成図である。また図３は、従来のブラウン管の画面上に映し出されるラスター歪を示す図である（例えば特許文献１参照。）。
【０００３】
従来の偏向ヨークにおいては、水平偏向コイル２と垂直偏向コイル３の開口部側磁界分布調整だけでは吸収することのできない画面最外周上下歪４の補正の為に、水平偏向コイル２の開口部側ベンドアップ５附近にマグネット１を配置し、更に画面中間部の上下歪及びコンバーゼンスの調整は、水平偏向コイル２、垂直偏向コイル３のネック部から中間部にかけての磁界分布で調整を行なっていた。７はフェライトコア、８は絶縁枠である。
【０００４】
【特許文献１】
特開平１−５２３６７号公報
【０００５】
【発明が解決しようとする課題】
従来の偏向ヨークにおいては、水平偏向コイル２の開口部側ベンドアップ５付近に配置されるマグネット１の補正量を上げれば、画面最外周上下歪４の補正を大きくすることができ、水平偏向コイル２、垂直偏向コイル３の開口部側磁界分布への裕度が大きくなるものの、ネック部から開口部にかけてのトータル磁界強度を合せこむ必要があるため、ネック部から中間部にかけての磁界分布構成に無理が生じ、結果的に、画面最外周上下歪４と画面中間部上下歪６、コンバーゼンスの特性が画像品位的に満足し得る両立解を得られず、またその調整に膨大な時間を要していた。
【０００６】
本発明は上記課題を解決するもので、画面最外周上下歪、画面中間部上下歪、コンバーゼンスの画像品位向上と特性調整時間の軽減を図れる偏向ヨークを提供することを目的とする。
【０００７】
【課題解決をするための手段】
上記課題を解決するために本発明は、水平偏向コイル、垂直偏向コイル、フェライトコアを絶縁枠に保持固定する偏向ヨークであって、画面Ｖ軸上に最外周および中間部の上下歪とコンバーゼンスを補正する３対以上のマグネットを設けたものである。
【０００８】
本発明によれば、画面最外周上下歪、画面中間部上下歪、コンバーゼンスの画像品位向上と特性調整時間の軽減を図れる偏向ヨークを提供することができる。
【０００９】
【発明の実施の形態】
請求項１の発明は、水平偏向コイル、垂直偏向コイル、フェライトコアを絶縁枠に保持固定する偏向ヨークであって、画面Ｖ軸上に最外周および中間部の上下歪とコンバーゼンスを補正する３対以上のマグネットを設けたものであり、これにより画面最外周上下歪、画面中間部上下歪、コンバーゼンスの画像品位向上と特性調整時間の軽減を図ることができる。
【００１０】
請求項２の発明は、１対のマグネットもしくは１対のマグネット群が、水平偏向コイルのコイル磁界ピーク付近もしくは垂直偏向コイルのコイル磁界ピーク付近に配置されるものであり、これにより体積の大きいものを用いることなく、主に画面中間部の上下歪を有効的に軽減できる。
【００１１】
請求項３の発明は、１対のマグネットが、垂直偏向コイル開口部側ベンドアップ付近に配置されるものであり、これにより画面最外周の上下歪、画面中間部の上下歪、コンバーゼンスの全てに作用する。
【００１２】
請求項４の発明は、１対のマグネットが、水平偏向コイルの開口部側ベンドアップ付近に配置されるものであり、これにより水平偏向コイルのコイル磁界ピーク付近もしくは垂直偏向コイルのコイル磁界ピーク付近に配置されたマグネットと水平偏向コイルの開口部側ベンドアップ付近に配置されたマグネットの橋渡し的な作用で、画面最外周の上下歪、画面中間部の上下歪、ミスコンバーゼンスを有効的に軽減できる。
【００１３】
請求項５の発明は、マグネットは、Ｖ軸方向断面において絶縁枠と垂直偏向コイルの隙間もしくは絶縁枠内面に配置されるものであり、これにより画面中間部の上下歪を効果的に軽減できる。
【００１４】
請求項６の発明は、マグネットは、絶縁枠の外側面形状に合せて製品組立て時に沿った形となるようにゴムまたは樹脂などのベースに添加されるものであり、これにより絶縁枠の外側面形状に合せて、製品組立て時に沿った形となり、効率良く取り付けられる。
【００１５】
請求項７の発明は、マグネットは、扁平形状であり、これにより小さい隙間でも配置することができ、取り付け位置の制約を受けにくい。
【００１６】
請求項８の発明は、マグネットは、直方体形状であり、これによりコスト的に有利となる。
【００１７】
請求項９の発明は、マグネットは、永久磁石であり、これにより垂直偏向回路を利用した電磁石形式と異なり、偏向パワーの損失が全く無い。
【００１８】
以下、本発明の実施の形態について、図面を参照して説明する。図１は本発明の一実施の形態における偏向ヨークのマグネット配置を示す断面図、図２は本発明の一実施の形態における偏向ヨークのマグネット配置を示す構成図、図３は本発明の一実施の形態におけるブラウン管の画面上に映し出されるラスター歪を示す図、図４は本発明の一実施の形態におけるコイル磁界ピーク付近に配置されるマグネットが１個の場合の外観図、図５は本発明の一実施の形態におけるコイル磁界ピーク付近に配置されるマグネットが２個の場合の外観図、図６は本発明の一実施の形態にけるマグネットの大きさが変化した場合のラスター歪の変化を示す図、図７は本発明の一実施の形態における画面最外周コンバーゼンス横線の正クロス化を示す図である。
【００１９】
図１、図２に示すように、水平偏向コイル２、垂直偏向コイル３、フェライトコア７及びこれらを保持固定する絶縁枠８を有する偏向ヨークにおいて、画面Ｖ軸上に最外周および中間部の上下歪とコンバーゼンスを補正する３対以上のマグネットを具備した構成にする。
【００２０】
この３対以上のマグネットのうち、１対のマグネット９もしくは１対のマグネット群１０（２個以上使用で１個分の役目と等価）は、おおよそ、水平偏向コイル２のネック端から開口側へ２５ｍｍ程度変移した場所、つまり、管軸方向にそれぞれのコイルの有効長のネック側から開口側に向けて４分の１程度変移した部分である水平偏向コイル２のコイル磁界ピーク付近もしくは垂直偏向コイル３のコイル磁界ピーク付近の絶縁枠８と垂直偏向コイル３の隙間に配置されている。
【００２１】
また、他の一対のマグネット１１は、水平偏向コイル２のネック端から開口側へ７５ｍｍ程度変移した場所、つまり、垂直偏向コイル３の開口部側ベンドアップ１２付近に配置されている。
【００２２】
これら２対または２対群のマグネット９、１０、１１で、主に画面中間部上下歪６の補正を行い、例えばマグネット９では、縦１５ｍｍ、横１０ｍｍ、厚さ１ｍｍ程度の大きさの絶縁枠外側面形状に合せることが可能なゴムまたは樹脂などのベースに添加された形式の永久磁石であり、扁平形状をしている。また、マグネット１１では、縦５ｍｍ、横５ｍｍ、長さ４０ｍｍ程度の大きさの永久磁石であり、直方体形状をしている。このとき、マグネット９が絶縁距離などの問題により、マグネット群１０となった場合は、図４に示すマグネット９が図５に示すように縦１５ｍｍ、横５〜７ｍｍ、厚さ１ｍｍ程度の大きさのものが２ｍｍ程度の隙間Ｇを挟み２個配置される。
【００２３】
またさらに、他の１対のマグネット１３（図２）が、水平偏向コイル２のネック端から開口側へ１００ｍｍ程度変移した場所である水平偏向コイル２の開口部側ベンドアップ５付近に配置されている。このマグネット１３で、主に画面最外周上下歪４の補正を行い、例えば、縦５ｍｍ、横５ｍｍ、長さ４０ｍｍ程度の大きさの永久磁石で直方体形状をしているものが用いられる。マグネット９、１０、１１、１３の着磁方向は、図２において右がＮ極、左がＳ極である。これらのマグネットは、形状が大きくなるほど、例えば、マグネット９もしくはマグネット群１０やマグネット１１の場合、図６に示すように画面中間部上下歪６が主にバレル歪方向に変化し、マグネット１３の場合、画面最外周上下歪４が主にバレル方向に変化する。
【００２４】
ここで、マグネット１１とマグネット１３の形状寸法を操作することにより、歪とコンバーゼンスの最適解を得ることを可能である。例えば、図３に示すように、大画面平面ブラウン管と従来の偏向ヨークの組合せで起こる画面最外周上下歪４の補正と画面最外周コンバーゼンス横線の補正を同時に行なう場合、マグネット１１とマグネット１３の合成磁界で画面最外周上下歪４の補正を行い、その中で、マグネット１１の形状が大きく、マグネット１３の形状を小さくした場合は、マグネット１３のみで画面最外周上下歪４の補正した場合に比べ、図７に示すように画面最外周コンバーゼンス横線のクロスハッチパターン（青色）１４ａ、クロスハッチパターン（赤色）１４ｂを強調することが可能である。
【００２５】
なお、マグネット９、１０、１１，１３の寸法を例示したが、これらの寸法は、使用するブラウン管のサイズや偏向ヨーク形式の組合せによって、上下歪やコンバーゼンスが一義的に決まるものでは無いため、これらの寸法に限定するものではない。
【００２６】
【発明の効果】
以上のように本発明によれば、画面最外周の上下歪、画面中間部の上下歪、コンバーゼンスの画像品位向上と特性調整時間の軽減を実現できる。
【図面の簡単な説明】
【図１】本発明の一実施の形態における偏向ヨークのマグネット配置を示す断面図
【図２】本発明の一実施の形態における偏向ヨークのマグネット配置を示す構成図
【図３】従来および本発明の一実施の形態におけるブラウン管の画面上に映し出されるラスター歪を示す図
【図４】本発明の一実施の形態におけるコイル磁界ピーク付近に配置されるマグネットが１個の場合の外観図
【図５】本発明の一実施の形態におけるコイル磁界ピーク付近に配置されるマグネットが２個の場合の外観図
【図６】本発明の一実施の形態におけるマグネットの大きさが変化した場合のラスター歪の変化を示す図
【図７】本発明の一実施の形態における画面最外周コンバーゼンス横線の正クロス化を示す図
【図８】従来の偏向ヨークのマグネット配置を示す断面図
【図９】従来の偏向ヨークのマグネット配置を示す構成図
【符号の説明】
１  マグネット
２  水平偏向コイル
３  垂直偏向コイル
４  画面最外周上下歪
５  水平偏向コイルの開口部側ベンドアップ
６  画面中間部上下歪
７  フェライトコア
８  絶縁枠
９  マグネット
１０  マグネット群
１１  マグネット
１２  垂直偏向コイルの開口側ベンドアップ
１３  マグネット
１４ａ  クロスハッチパターン（横線、青色）
１４ｂ  クロスハッチパターン（横線、赤色）
【図１】
2004220788.tif 000003
【図２】
2004220788.tif 000004
【図３】
2004220788.tif 000005
【図４】
2004220788.tif 000006
【図５】
2004220788.tif 000007
【図６】
2004220788.tif 000008
【図７】
2004220788.tif 000009
【図８】
2004220788.tif 000010
【図９】
2004220788.tif 000011